(57)【要約】  本開示の一態様に係るユーザ端末は、特定下り制御情報フォーマットを用いる下り制御情報を受信する受信部と、前記下り制御情報に基づいてセカンダリセルのアクティベーション又はディアクティベーションを決定する制御部と、を有する。本開示の一態様によれば、高速にアクティベーションを制御できる。
2020008644.tif 000002
【特許請求の範囲】
【請求項１】
特定下り制御情報フォーマットを用いる下り制御情報を受信する受信部と、
前記下り制御情報に基づいてセカンダリセルのアクティベーション又はディアクティベーションを決定する制御部と、を有することを特徴とするユーザ端末。
【請求項２】
前記制御部は、前記下り制御情報内の、周波数リソース割り当てフィールドと、時間リソース割り当てフィールドと、セル指示フィールドと、部分帯域指示フィールドと、の少なくとも１つのフィールドに基づいて、前記セカンダリセルのアクティベーション又はディアクティベーションを行うことを特徴とする請求項１に記載のユーザ端末。
【請求項３】
前記下り制御情報は、前記セカンダリセルのアクティベーション又はディアクティベーションを示すフィールドと、部分帯域のアクティベーション又はディアクティベーションを示すフィールドと、少なくとも１つを含むことを特徴とする請求項１又は請求項２に記載のユーザ端末。
【請求項４】
前記セカンダリセルのアクティベーションが決定された場合、前記制御部は、前記下り制御情報に基づいてアクティブ部分帯域を決定することを特徴とする請求項１から請求項３のいずれかに記載のユーザ端末。
【請求項５】
前記制御部は、前記下り制御情報に基づいて前記セカンダリセルのアクティベーション又はディアクティベーションのタイミングを決定することを特徴とする請求項１から請求項４のいずれかに記載のユーザ端末。
【請求項６】
特定下り制御情報フォーマットを用いる下り制御情報を送信する送信部と、
前記下り制御情報に基づいてセカンダリセルのアクティベーション又はディアクティベーションを決定する制御部と、を有することを特徴とする基地局。
【発明の詳細な説明】
【技術分野】
【０００１】
本開示は、次世代移動通信システムにおけるユーザ端末及び基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥ（例えば、ＬＴＥ  Ｒｅｌ．１３）におけるキャリアアグリゲーション（ＣＡ：Carrier  Aggregation）において、基地局は、ユーザ端末（ＵＥ：User  Equipment）に対してセカンダリセル（ＳＣｅｌｌ：Secondary  Cell）をディアクティブ状態からアクティベートするために、ＭＡＣ制御要素（ＭＡＣ  ＣＥ（Medium  Access  Control  Control  Element））を用いた制御を行う。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
既存のＬＴＥにおいて、ＳＣｅｌｌのアクティベーションには数十ｍｓを要する。将来の無線通信システム（例えば、ＮＲ）においては、より迅速なＳＣｅｌｌのアクティベーション／ディアクティベーション制御が求められている。このような制御を適切に実施する手法を確立しなければ、スループットの低下などが生じるという課題がある。【０００７】
そこで、本開示は、セカンダリセルのアクティベーションを高速に制御できるユーザ端末及び基地局を提供することを目的の１つとする。
【課題を解決するための手段】
【０００８】
本開示の一態様に係るユーザ端末は、特定下り制御情報フォーマットを用いる下り制御情報を受信する受信部と、前記下り制御情報に基づいてセカンダリセルのアクティベーション又はディアクティベーションを決定する制御部と、を有することを特徴とする。
【発明の効果】
【０００９】
本開示の一態様によれば、セカンダリセルのアクティベーションを高速に制御できる。
【図面の簡単な説明】
【００１０】
【図１】図１Ａ及び図１Ｂは、ＳＣｅｌｌアクティベーション／ディアクティベーションＭＡＣ  ＣＥの一例を示す図である。
【図２】図２は、セルフキャリアスケジューリング及びクロスキャリアスケジューリングの一例を示す図である。
【図３】図３Ａ及び図３Ｂは、セルフキャリア又はクロスキャリアのＳＣｅｌｌディアクティベーションの一例を示す図である。
【図４】図４Ａ−図４Ｃは、ＳＣｅｌｌアクティベーションＤＣＩ及びＳＣｅｌｌディアクティベーションＤＣＩの一例を示す図である。
【図５】図５は、ＳＣｅｌｌアクティベーション／ディアクティベーションインジケータフィールドを有するＤＣＩの一例を示す図である。
【図６】図６は、アクティブＢＷＰ決定方法の一例を示す図である。
【図７】図７Ａ及び図７Ｂは、ＣＳＩ報告トリガ方法の一例を示す図である。
【図８】図８は、態様２−１に係るＳＣｅｌｌアクティベーション／ディアクティベーションインジケータフィールドの一例を示す図である。
【図９】図９は、態様２−２に係るＳＣｅｌｌアクティベーション／ディアクティベーションインジケータフィールドの一例を示す図である。
【図１０】図１０は、態様２−３に係るＳＣｅｌｌアクティベーション／ディアクティベーションインジケータフィールドの一例を示す図である。
【図１１】図１１は、態様３−１に係るＳＣｅｌｌアクティベーション／ディアクティベーションインジケータフィールドの一例を示す図である。
【図１２】図１２は、態様３−２に係るＳＣｅｌｌアクティベーション／ディアクティベーションインジケータフィールドの一例を示す図である。
【図１３】図１３は、態様３−３に係るＳＣｅｌｌアクティベーション／ディアクティベーションインジケータフィールドの一例を示す図である。
【図１４】図１４Ａ及び図１４Ｂは、態様４−１に係るＳＣｅｌｌアクティベーションタイミングの一例を示す図である。
【図１５】図１５Ａ及び図１５Ｂは、態様４−２に係るＳＣｅｌｌアクティベーションタイミングの一例を示す図である。
【図１６】図１６は、一実施形態に係る無線通信システムの概略構成の一例を示す図である。
【図１７】図１７は、一実施形態に係る基地局の全体構成の一例を示す図である。
【図１８】図１８は、一実施形態に係る基地局の機能構成の一例を示す図である。
【図１９】図１９は、一実施形態に係るユーザ端末の全体構成の一例を示す図である。
【図２０】図２０は、一実施形態に係るユーザ端末の機能構成の一例を示す図である。
【図２１】図２１は、一実施形態に係る基地局及びユーザ端末のハードウェア構成の一例を示す図である。
【発明を実施するための形態】
【００１１】
既存のＬＴＥ（例えば、ＬＴＥ  Ｒｅｌ．１３）におけるキャリアアグリゲーション（ＣＡ）では、ＳＣｅｌｌをディアクティベート状態（deactivated  state）からアクティベートするために、ＭＡＣ制御要素（ＭＡＣ  ＣＥ（Medium  Access  Control  Control  Element））を用いたシグナリング（Activation/Deactivation  MAC  CE）が利用されている。当該ＭＡＣ  ＣＥには、各ＳＣｅｌｌについての、アクティベートされるべきか否かに関する情報が含まれる。
【００１２】
なお、ディアクティブなセルにおいては、例えば、ＵＥは、下り制御チャネル（例えば、ＰＤＣＣＨ（Physical  Downlink  Control  Channel））のモニタをしない、上り制御チャネル（ＰＵＣＣＨ：Physical  Uplink  Control  Channel）の送信をしないなど、アクティブなセルにおける動作よりも、ＵＥが行う動作が少ない。
【００１３】
あるサブフレーム（サブフレームｎ）においてアクティベーションＭＡＣ  ＣＥを受信したＵＥは、サブフレームｎ＋２４又はｎ＋３４までに有効なＣＳＩ報告を送信する必要がある。ここで、有効なＣＳＩというのは、ＵＥの測定に基づいて得られたＣＳＩであり、ＣＱＩインデックス＝０（ＯＯＲ（Out  Of  Range）に対応）及びそれ以外を含むＣＱＩ値に対応する。
【００１４】
また、ＮＲにおいて、ＭＡＣエンティティが１以上のＳＣｅｌｌを設定される場合、ネットワークは設定されたＳＣｅｌｌをアクティベートしてもよいし、ディアクティベートしてもよい。ＳＣｅｌｌの設定に応じて、そのＳＣｅｌｌがディアクティベートされてもよい。
【００１５】
設定されたＳＣｅｌｌは、ＳＣｅｌｌアクティベーション／ディアクティベーションＭＡＣ  ＣＥの受信によって、アクティベート及びディアクティベートされてもよい。設定されたＳＣｅｌｌは、（ＰＵＣＣＨを用いて設定されたＳＣｅｌｌを除く）設定されたＳＣｅｌｌ毎のタイマ（sCellDeactivationTimer）の設定によって、アクティベート及びディアクティベートされてもよい。そのタイマの満了に応じて、関連付けられたＳＣｅｌｌがディアクティベートされてもよい。
【００１６】
追加変更ＳＣｅｌｌリスト（sCellToAddModList）に含まれ、且つ現在のＵＥ設定の一部ではない各ＳＣｅｌｌインデックス（sCellIndex）に対し（ＳＣｅｌｌ追加（Addition））、ＵＥは、ＳＣｅｌｌ共通設定（SCellConfigCommon）及びＳＣｅｌｌ個別設定（SCellConfigDedicated）に従って、当該ＳＣｅｌｌインデックスに対応するＳＣｅｌｌを追加してもよい。更に、ＵＥは、当該ＳＣｅｌｌをディアクティベート状態にすることを認識することを下位レイヤに設定してもよい。更に、ＵＥは、測定設定変数（VarMeasConfig）内の測定ＩＤリスト（measIdList）内に含まれる各測定ＩＤ（measId）に対し、ＳＣｅｌｌが関連する測定に適用可能でない場合、及び関連するＳＣｅｌｌがこの測定ＩＤに対する測定報告変数リスト（VarMeasReportList）内で規定されたトリガされるセルリスト（cellsTriggeredList）内に含まれる場合、ＵＥは、この測定ＩＤに対する測定報告変数リスト内で規定されたトリガされるセルリストから関連するＳＣｅｌｌを削除してもよい。
【００１７】
追加変更ＳＣｅｌｌリストに含まれ、且つ現在のＵＥ設定の一部である各ＳＣｅｌｌインデックスに対し（ＳＣｅｌｌ変更（modification））、ＵＥは、ＳＣｅｌｌ個別設定に従って、ＳＣｅｌｌ構成を変更してもよい。
【００１８】
７より大きいサービングセルインデックス（ServCellIndex）を持つサービングセルが無い場合、図１Ａに示すように、１オクテットのＳＣｅｌｌアクティベーション／ディアクティベーションＭＡＣ  ＣＥが適用され、そうでない場合、図１Ｂに示すように、４オクテットのＳＣｅｌｌアクティベーション／ディアクティベーションＭＡＣ  ＣＥが適用されてもよい。
【００１９】
Ｃｉ：ＳＣｅｌｌインデックス（SCellIndex）ｉを用いてＭＡＣエンティティに対して設定されたＳＣｅｌｌがある場合、Ｃｉフィールドは、ＳＣｅｌｌインデックスｉを有するＳＣｅｌｌのアクティベーション又はディアクティベーションの状態を指示し、そうでなければ、ＭＡＣエンティティはＣｉフィールドを無視してもよい。ＳＣｅｌｌインデックスｉを有するＳＣｅｌｌがアクティベートされることを示すために、Ｃｉフィールドは"1"にセットされてもよい。ＳＣｅｌｌインデックスｉを有するＳＣｅｌｌがディアクティベートされることを示すために、Ｃｉフィールドは"0"にセットされてもよい。
【００２０】
Ｒ：リザーブドビットであり、"0"にセットされる。
【００２１】
次に、ＭＡＣ  ＣＥからＳＣｅｌｌアクティベーション／ディアクティベーションまでの時間について説明する。ＳＣｅｌｌアクティベーション／ディアクティベーションがＭＡＣ  ＣＥに基づく場合、対応する動作（ＣＳＩ報告を除く）の大部分が、最小要件（スロットｎ＋Ｋ）までに及び所定タイミング（例えば、ＳＣｅｌｌに対するアクティベーションコマンドを受信したセル又はアクティベーションされるＳＣｅｌｌ又はＣＳＩ報告を行うセルにおけるスロットｎ＋ｋ）以後に起こってもよい。
【００２２】
ＵＥが所定セルのスロットｎにおいてＳＣｅｌｌに対するアクティベーションコマンドを受信した場合、次の動作１〜３を除いた、対応する動作が最小要件までに及び所定タイミング（例えば、前記所定セル、またはアクティベーションされるＳＣｅｌｌ、またはＣＳＩ報告を行うセルにおけるスロットｎ＋ｋ）以後に適用されてもよい。
【００２３】
（動作１）前記所定タイミング（例えば、ＳＣｅｌｌに対するアクティベーションコマンドを受信したセル、またはアクティベーションされるＳＣｅｌｌ、またはＣＳＩ報告を行うセルにおけるスロットｎ＋ｋ）においてアクティブ化される、サービングセルに対するＣＳＩの報告に関する動作
（動作２）前記所定タイミング（例えば、ＳＣｅｌｌに対するアクティベーションコマンドを受信したセル、またはアクティベーションされるＳＣｅｌｌ、またはＣＳＩ報告を行うセルにおけるスロットｎ＋ｋ）においてアクティブ化されるＳＣｅｌｌに関連付けられたＳＣｅｌｌディアクティベーションタイマ（sCellDeactivationTimer）に関する動作
（動作３）所定タイミング（例えば、ＳＣｅｌｌに対するアクティベーションコマンドを受信したセル、またはアクティベーションされるＳＣｅｌｌ、またはＣＳＩ報告を行うセルにおけるにおけるスロットｎ＋ｋ）においてアクティブでないサービングセル上のＣＳＩ報告に関する動作
【００２４】
前記動作１および動作２は、例えば前記所定タイミング（例えば、ＳＣｅｌｌに対するアクティベーションコマンドを受信したセル、またはアクティベーションされるＳＣｅｌｌ、またはＣＳＩ報告を行うセルにおけるスロットｎ＋ｋ）において適用することができる。前記動作３は、前記所定タイミング（例えば、ＳＣｅｌｌに対するディアクティベーションコマンドを受信したセル、またはアクティベーションされるＳＣｅｌｌ、またはＣＳＩ報告を行うセルにおけるスロットｎ＋ｋ）より後の最初のスロットに適用することができる。
【００２５】
ＵＥがＳＣｅｌｌに対するディアクティベーションコマンドを受信する場合、又は当該ＳＣｅｌｌに関連付けられたＳＣｅｌｌディアクティベーションタイマがスロットｎにおいて満了する場合、所定タイミング（例えば、ＳＣｅｌｌに対するアクティベーションコマンドを受信したセル又はアクティベーションされるＳＣｅｌｌ又はＣＳＩ報告を行うセルにおけるスロットｎ＋ｋ）に適用される、アクティブであるサービングセル上のＣＳＩ報告に関する動作を除いた、対応する動作が、最小要件までに適用されてもよい。
【００２６】
ＣＳＩ報告がＰＵＳＣＨに多重する場合、レートマッチが行われる。よって、ＰＵＳＣＨが適切に受信されるために、ＳＣｅｌｌアクティベーションのタイミングが固定される。
【００２７】
ＳＣｅｌｌがアクティベートされた場合、次の動作１〜５のいずれかが適用されてもよい。
（動作１−１）ＳＣｅｌｌ上のＳＲＳ（Sounding  Reference  Signal）送信
（動作１−２）ＳＣｅｌｌ用ＣＳＩ報告
（動作１−３）ＳＣｅｌｌ上のＰＤＣＣＨモニタリング
（動作１−４）ＳＣｅｌｌ用ＰＤＣＣＨモニタリング
（動作１−５）ＳＣｅｌｌ上のＰＵＣＣＨ送信（設定された場合）
【００２８】
ＳＣｅｌｌがディアクティベートされた場合、次の動作６〜１２のいずれかが適用されてもよい。
（動作１−６）ＵＥは、ＳＣｅｌｌ上のＳＲＳを送信しない。
（動作１−７）ＵＥは、ＳＣｅｌｌ用ＣＳＩを送信しない。
（動作１−８）ＵＥは、ＳＣｅｌｌ上のＵＬ−ＳＣＨ（ＵＬデータ、ＵＬトランスポートチャネル）を送信しない。
（動作１−９）ＵＥは、ＳＣｅｌｌ上のＲＡＣＨ（ランダムアクセスチャネル）を送信しない。
（動作１−１０）ＵＥは、ＳＣｅｌｌ上のＰＤＣＣＨをモニタしない。
（動作１−１１）ＵＥは、ＳＣｅｌｌ用ＰＤＣＣＨをモニタしない。
（動作１−１２）ＵＥは、ＳＣｅｌｌ上のＰＵＣＣＨを送信しない。
【００２９】
現在のＳＣｅｌｌアクティベーション／ディアクティベーションの仕組みに基づくと、アクティベーション遅延は大きく、スペクトラムの利用率を制限するおそれがある。
【００３０】
そこで、本発明者らは、高速なＳＣｅｌｌのアクティベーション／ディアクティベーション制御方法を着想した。具体的には、下り制御情報（ＤＣＩ：Downlink  Control  Information）に基づくＳＣｅｌｌアクティベーション／ディアクティベーションのための、ＤＣＩの設計及びＵＥ動作を着想した。
【００３１】
以下、本開示に係る実施形態について、図面を参照して詳細に説明する。各実施形態に係る無線通信方法は、それぞれ単独で適用されてもよいし、組み合わせて適用されてもよい。
【００３２】
以降の説明において、アクティブ状態（活性状態）に関する用語（例えば、「アクティベーション（活性化）」、「アクティブ」）は、ディアクティブ状態（不活性状態）に関する用語（例えば、「ディアクティベーション（不活性化）」、「ディアクティブ」、「インアクティブ」、「リリース」）によって読み替えられてもよい。「ＳＣｅｌｌアクティベーション／ディアクティベーション」は、ＳＣｅｌｌのアクティベーション及びディアクティベーションの少なくとも１つと読み替えられてもよい。「アクティベート／ディアクティベート」は、アクティベート及びディアクティベートの少なくとも１つと読み替えられてもよい。
【００３３】
セルは、ＣＣ（Component  Carrier）と読み替えられてもよい。
【００３４】
ノンフォールバックＤＣＩは、例えば、ＵＥ−ＳＳ（UE-specific  Search  Space）において送信されるＤＣＩであって、ＵＥ固有の上位レイヤシグナリング（例えば、ＲＲＣシグナリング）によって構成（内容、ペイロードなど）を設定可能なＤＣＩであってもよい。ノンフォールバックＤＣＩは、Ｃ−ＲＮＴＩによってＣＲＣ（Cyclic  Redundancy  Check）スクランブルされてもよい。ノンフォールバックＤＣＩはＲＲＣ接続後に使用されてもよい。
【００３５】
フォールバックＤＣＩは、例えば、Ｃ−ＳＳ（Common  Search  Space）及びＵＥ−ＳＳの少なくとも一方において送信されるＤＣＩであって、ＵＥ固有の上位レイヤシグナリングによって構成を設定できないＤＣＩであってもよい。なお、フォールバックＤＣＩについても、ＵＥ共通の上位レイヤシグナリング（例えばブロードキャスト情報、システム情報など）によって構成（内容、ペイロードなど）が設定可能であってもよい。フォールバックＤＣＩはＲＲＣ接続前に使用されてもよい。
【００３６】
（第１の態様）
ＳＣｅｌｌアクティベーション／ディアクティベーションを指示するために、ノンフォールバックＤＣＩ（所定ＤＣＩフォーマット、例えば、ＤＣＩフォーマット０＿１、１＿１）が用いられてもよい（再利用されてもよい）。ＵＥは、ノンフォールバックＤＣＩに基づいてＳＣｅｌｌアクティベーション／ディアクティベーションを認識してもよい。
【００３７】
ＳＣｅｌｌアクティベーション／ディアクティベーションを指示するために、ＤＬアサインメント（例えば、ＤＣＩフォーマット１＿１）及びＵＬグラント（例えば、ＤＣＩフォーマット０＿１）の少なくとも１つが用いられてもよい。
【００３８】
＜ペアードスペクトラム／アンペアードスペクトラム＞
ペアードスペクトラム（paired  spectrum）におけるＳＣｅｌｌアクティベーション／ディアクティベーションに対し、ＤＬアサインメントがＤＬ  ＳＣｅｌｌアクティベーション／ディアクティベーションに用いられてもよいし、ＵＬグラントがＵＬ  ＳＣｅｌｌアクティベーション／ディアクティベーションに用いられてもよい。言い換えれば、ペアードスペクトラムにおいては、１つのＤＣＩによって、ＤＬ  ＳＣｅｌｌ及びＵＬ  ＳＣｅｌｌの一方がアクティベートされてもよい。ペアードスペクトラムは、ＤＬ用バンド及びＵＬ用バンドを用いてもよく、ＦＤＤ（Frequency  Division  Duplex）に用いられてもよい。
【００３９】
アンペアードスペクトラム（unpaired  spectrum）におけるＳＣｅｌｌアクティベーション／ディアクティベーションに対し、ＤＬアサインメント及びＵＬグラントの少なくとも１つがＳＣｅｌｌアクティベーション／ディアクティベーションに用いられてもよい。言い換えれば、アンペアードスペクトラムにおいては、ＤＬ及びＵＬの両方が１つのＤＣＩによってアクティベートされてもよい。アンペアードスペクトラムは、１つのバンドを有していてもよく、ＴＤＤ（Time  Division  Duplex）に用いられてもよい。
【００４０】
次の条件１〜３の少なくとも１つのように、所定条件が満たされた場合、ＵＬ  ＳＣｅｌｌ及びＤＬ  ＳＣｅｌｌの少なくとも１つがディアクティベートされてもよい。所定条件が満たされた場合、ＵＥは、対応するＵＬ  ＳＣｅｌｌ及びＤＬ  ＳＣｅｌｌの少なくとも１つがディアクティベートされると認識してもよい。
【００４１】
（条件１）
ＳＣＧ（Secondary  Cell  Group）又はセカンダリＰＵＣＣＨグループ内の全てのＤＬ  ＳＣｅｌｌがディアクティベートされる場合、ＵＥは、ＤＣＩやＭＡＣ  ＣＥでディアクティベーションが指示されるか否か、所定タイマが満了するか否かに関わらず、当該グループ内の全てのＵＬ  ＳＣｅｌｌをディアクティベートしてもよい。
【００４２】
（条件２）
ＳＣＧ又はセカンダリＰＵＣＣＨグループ内の全てのＵＬ  ＳＣｅｌｌがディアクティベートされる場合、ＵＥは、ＤＣＩやＭＡＣ  ＣＥでディアクティベーションが指示されるか否か、所定タイマが満了するか否かに関わらず、当該グループ内の全てのＤＬ  ＳＣｅｌｌをディアクティベートしてもよい。
【００４３】
（条件３）
各ＤＬ  ＳＣｅｌｌがＵＬ  ＳＣｅｌｌ又はＰＣｅｌｌに紐付けられてもよい。各ＵＬ  ＳＣｅｌｌが、上位レイヤシグナリング（例えば、ＲＲＣシグナリング）によって、パスロス及びタイミングの少なくとも１つの計算のためのリファレンスとなるＤＬ  ＳＣｅｌｌに紐付けられてもよい。ＤＬアサインメントが、ＵＬ  ＳＣｅｌｌのリファレンスとして用いられるＤＬ  ＳＣｅｌｌをディアクティベートする場合、当該ＵＬ  ＳＣｅｌｌもディアクティベートされてもよい。
【００４４】
＜セルフキャリアスケジューリング／クロスキャリアスケジューリング＞
ＳＣｅｌｌアクティベーション／ディアクティベーションに対し、次のケース１、２の少なくとも１つが考慮され、対応するＵＥ動作が定義されてもよい。
【００４５】
（ケース１）図２に示すように、ＳＣｅｌｌ（ＣＣ１、ＣＣ２）に対し、上位レイヤによってセルフキャリアスケジューリングが設定されてもよい。セルフキャリアスケジューリングを設定された（又はクロスキャリアスケジューリングを設定されない）ＣＣは、当該ＣＣ内のＤＣＩを用いてスケジュールされる。
【００４６】
（ケース２）図２に示すように、ＳＣｅｌｌ（ＣＣ３）に対し、上位レイヤによってクロスキャリアスケジューリングが設定されてもよい。クロスキャリアスケジューリングを設定されたＣＣは、他ＣＣ（例えば、ＣＣ２）内のＤＣＩを用いてスケジュールされる。
【００４７】
スケジューリングのためのＤＣＩが送信されるＣＣは、スケジューリングＣＣ（scheduling  CC、スケジューリングセル）と呼ばれてもよい。ＤＣＩを用いてスケジュールされるＣＣは、スケジュールドＣＣ（scheduled  CC、スケジュールドセル）と呼ばれてもよい。
【００４８】
（態様１−１）
ＳＣｅｌｌがセルフキャリアスケジューリングを設定されるケース１について説明する。ＳＣｅｌｌがセルフキャリアスケジューリングを設定される、とは、上位レイヤシグナリングによって、当該ＳＣｅｌｌにおけるＰＤＣＣＨが、同じＳＣｅｌｌにおけるＰＤＳＣＨまたはＰＵＳＣＨのみをスケジューリングできるよう設定された場合を示す。または、当該ＳＣｅｌｌにおけるＰＤＣＣＨには、ＣＩＦが含まれない場合と読み替えてもよい。
【００４９】
既存のＣＡアクティベーションと同様、ＳＣｅｌｌアクティベーション／ディアクティベーションがＭＡＣ  ＣＥによって行われてもよい。セルフキャリアスケジューリングに対し、他のＣＣで送受信されるＰＤＳＣＨに含まれるＭＡＣ  ＣＥによってＳＣｅｌｌアクティベーション／ディアクティベーションが指示されてもよい。この場合、ＵＥは、当該ＳＣｅｌｌのアクティベーション／ディアクティベーションが、ＤＣＩで指示されないと想定する。基地局は、当該ＳＣｅｌｌのアクティベーション／ディアクティベーションを指示する場合、ＭＡＣ  ＣＥで行うようにする。
【００５０】
アクティベーション／ディアクティベーションの指示の対象となるＣＣとは別のＣＣで送受信されるＤＣＩによって、ＳＣｅｌｌアクティベーション／ディアクティベーションが行われてもよい。
【００５１】
当該ＳＣｅｌｌを含むセルグループ（又はＰＵＣＣＨグループ）内の少なくとも１つのＣＣにおいてクロスキャリアスケジューリングが設定されている場合、当該ＣＣにおけるＰＤＣＣＨ（またはＤＣＩ）に含まれるＣＩＦ（Carrier  Indicator  Field、セル指示フィールド）を、当該ＳＣｅｌｌのアクティベート又はディアクティベートを指示するために用いられてもよい（再利用されてもよい）。この場合、ＵＥは、ＰＤＳＣＨやＰＵＳＣＨのクロスキャリアスケジューリングのために前記ＣＣにおけるＤＣＩに含まれるＣＩＦが前記ＳＣｅｌｌを指示することはないと想定することができるが、当該ＣＩＦが前記ＳＣｅｌｌを指示する場合に、前記ＳＣｅｌｌのアクティベーション／ディアクティベーションを行う。
【００５２】
１以上のＣＣがスケジューリングＣＣとして設定された場合、ＵＥは、上位レイヤシグナリングにより、当該ＣＣのＤＣＩによって、アクティベーション／ディアクティベーションを指示できるＳＣｅｌｌが設定されるものとしてもよい。または、アクティベーション／ディアクティベーションを指示できるＳＣｅｌｌは明示的にシグナリングで設定されることはなく、ＵＥは、ＣＩＦの値に従って、同じセルグループまたはＰＵＣＣＨグループに含まれる任意のＳＣｅｌｌが、当該ＤＣＩによってアクティベーション／ディアクティベーションされると想定してもよい。
【００５３】
ＵＥは、上位レイヤシグナリングによって設定されたＣＣで、ＳＣｅｌｌアクティベーションを指示するＤＣＩをモニタしてもよい。
【００５４】
ＵＥは、ＳＣｅｌｌがアクティベートされた後、アクティベートされたＳＣｅｌｌ上のＰＤＣＣＨをモニタしてもよい。
【００５５】
ＵＥは、次のオプション１−１〜１−４の少なくとも１つを行ってもよい。
【００５６】
（オプション１−１）
所定のＣＣ（例えば、アクティベーションに用いられたＣＣ、または上位レイヤシグナリングで明示的に設定されたＣＣ）における所定のＤＣＩで、前記アクティベートされたＳＣｅｌｌのディアクティベートを行うものとしてもよい。すなわちＵＥは、前記所定のＣＣで前記所定のＤＣＩをモニタし、当該ＤＣＩが前記ＳＣｅｌｌのディアクティベートを指示している場合、その指示に従って前記ＳＣｅｌｌのディアクティベートを行う。
【００５７】
（オプション１−２）
前記アクティベートされたＳＣｅｌｌにおける所定のＤＣＩで、前記アクティベートされたＳＣｅｌｌのディアクティベートを行うものとしてもよい。すなわちＵＥは、前記アクティベートされたＳＣｅｌｌにおける所定のＤＣＩをモニタし、当該ＤＣＩが前記ＳＣｅｌｌのディアクティベートを指示している場合、その指示に従って前記ＳＣｅｌｌのディアクティベートを行う。
【００５８】
（オプション１−３）
ＵＥは、オプション１−１および１−２に記載した両方のＣＣ（例えば、アクティベーションに用いられたＣＣと、アクティベーションされたＳＣｅｌｌ）において、前記ＳＣｅｌｌのディアクティベーションを指示するＤＣＩをモニタしてもよい。
【００５９】
（オプション１−４）
当該ＳＣｅｌｌのアクティベーションはＤＣＩで行うが、ディアクティベーションはＤＣＩでは指示せず、ＭＡＣ  ＣＥで指示するものとしてもよい。すなわちＵＥは、ＳＣｅｌｌディアクティベーション用のＭＡＣ  ＣＥをモニタしてもよい。この場合、ＤＣＩは、ＳＣｅｌｌアクティベーションに用いられてもよい。
【００６０】
図３Ａ及び図３ＢのＳＣｅｌｌアクティベーション前の状態において、ＣＣ２及びＣＣ３はアクティベートされたＳＣｅｌｌ（アクティブなＳＣｅｌｌ）であり、ＣＣ１はディアクティベートされたＳＣｅｌｌ（インアクティブなＳＣｅｌｌ）である。
【００６１】
ＣＣ１及びＣＣ２は、セルフキャリアスケジューリングを設定されている（クロスキャリアスケジューリング、またはＣＩＦが設定されていない）。ＣＣ３は、クロスキャリアスケジューリングを設定されている（他ＣＣによってスケジュールされることができる）。ここでは、ＣＣ２がスケジューリングＣＣであり、ＣＣ３がスケジュールドＣＣであるとする。
【００６２】
図３Ａ及び図３Ｂに示すように、ＣＣ１は、異なるＣＣ２（クロスキャリア）において送信されたＤＣＩ内のＣＩＦに従ってアクティベートされてもよい。
【００６３】
図３Ａに示すように、ＣＣ１は、同じＣＣ１において送信されたＤＣＩによってディアクティベートされてもよい（オプション１−２、１−３）。図３Ｂに示すように、ＣＣ１は、異なるＣＣ２（クロスキャリア）において送信されたＤＣＩ内のＣＩＦに従ってディアクティベートされてもよい。ディアクティベーションのためのＤＣＩはアクティベーションに用いられたＣＣにおいて送信されてもよい（オプション１−１、１−３）。
【００６４】
＜アクティベーション／ディアクティベーション決定方法＞
ＵＥは、次の案１、２の少なくとも１つによって、アクティベーションＤＣＩとディアクティベーションＤＣＩとを区別してもよい。
【００６５】
（案１）
ＵＥは、ＤＣＩがアクティベーションであるかディアクティベーションであるかを暗示的に（implicitly）区別してもよい。ＵＥは、次の案１−１、１−２の少なくとも１つに基づいて、ＤＣＩがアクティベーションであるかディアクティベーションであるかを区別してもよい。
【００６６】
＜案１−１＞
ディアクティベート状態にあるＳＣｅｌｌに対して、データのスケジューリングを行うＤＣＩを検出した場合、ＵＥは、当該ＳＣｅｌｌをアクティベートする。
【００６７】
図４Ａに示すように、どのＳＣｅｌｌがアクティベートされるかを指示するために、ＣＩＦが用いられてもよい。一方、どのリソースがスケジュールされるかを指示するために、当該ＤＣＩ内の他の所定フィールド（例えば、周波数ドメインリソース割り当て、時間ドメインリソース割り当て、ＭＣＳ（Modulation  and  Coding  Scheme）、ＲＶ（Redundancy  Version）、ＮＤＩ（New  Data  Indicator）など）が用いられてもよい。
【００６８】
言い換えれば、所定ＤＣＩフォーマットを有するＤＣＩ内のＣＩＦがアクティブでないＳＣｅｌｌを示し、且つ当該ＤＣＩ内の所定フィールドがデータのリソースを指示する場合、ＵＥは、当該ＤＣＩが、ＣＩＦに指示されたＳＣｅｌｌのアクティベーションを指示すると決定してもよい。
【００６９】
ＤＣＩ内にＣＩＦが存在する場合、どのＳＣｅｌｌがディアクティベートされるかを指示するために、ＣＩＦが用いられてもよい。
【００７０】
言い換えれば、所定ＤＣＩフォーマットを有するＤＣＩ内のＣＩＦがアクティブなＳＣｅｌｌを指示する場合、ＵＥは、当該ＤＣＩが、ＣＩＦに指示されたＳＣｅｌｌのディアクティベーションを指示すると決定してもよい。
【００７１】
ＤＣＩ内にＣＩＦが存在しない場合、当該ＤＣＩがディアクティベーションの通知であることと、現在のＳＣｅｌｌ（ＤＣＩを受信したＳＣｅｌｌ）がディアクティベートされることと、をＵＥに伝えるために、当該ＤＣＩ内の他の所定フィールドが所定値にセットされてもよい。
【００７２】
言い換えれば、所定ＤＣＩフォーマットを有するＤＣＩ内の所定フィールドが所定値を指示する場合、ＵＥは、当該ＤＣＩが、当該ＤＣＩを受信したＳＣｅｌｌのディアクティベーションを指示すると決定してもよい。
【００７３】
＜案１−２＞
データのスケジューリングなしでＳＣｅｌｌがアクティベートされる。
【００７４】
どのＳＣｅｌｌがアクティベート／ディアクティベートされるかを指示するために、ＣＩＦが用いられてもよい。一方、当該ＤＣＩ内の他の所定フィールドが所定値にセットされることによって、アクティベーション／ディアクティベーションが区別されてもよい。所定値は、アクティベーションを指示する値と、ディアクティベーションを指示する値と、の１つであってもよい。
【００７５】
言い換えれば、所定ＤＣＩフォーマットを有するＤＣＩ内の所定フィールドが所定値を示す場合、ＵＥは、当該ＤＣＩが、ＣＩＦに指示されたＳＣｅｌｌのアクティベーション／ディアクティベーションを指示すると決定してもよい。当該ＤＣＩ内の所定フィールドがアクティベーションを指示する値である場合、ＵＥは、当該ＤＣＩがアクティベーションを指示すると認識し、当該ＤＣＩ内の所定フィールドがディアクティベーションを指示する値である場合、ＵＥは、当該ＤＣＩがディアクティベーションを指示すると認識してもよい。
【００７６】
図４Ｂに示すように、アクティベーションＤＣＩにおいて、周波数ドメインリソース割り当て、時間ドメインリソース割り当て、ＭＣＳ、ＲＶ、ＮＤＩの少なくとも１つの所定フィールドが、オール１又は１であってもよい。図４Ｃに示すように、ディアクティベーションＤＣＩにおいて、時間ドメインリソース割り当て、ＭＣＳ、ＲＶ、ＮＤＩの少なくとも１つの所定フィールドが、オール０又は０であってもよい。
【００７７】
ＤＣＩ内にＣＩＦが存在する場合、どのＳＣｅｌｌがディアクティベートされるかを指示するために、ＣＩＦが用いられてもよい。
【００７８】
言い換えれば、所定ＤＣＩフォーマットを有するＤＣＩ内のＣＩＦがアクティブなＳＣｅｌｌを指示する場合、ＵＥは、当該ＤＣＩが、ＣＩＦに指示されたＳＣｅｌｌのディアクティベーションを指示すると決定してもよい。
【００７９】
ＤＣＩ内にＣＩＦが存在しない場合、現在のＳＣｅｌｌ（ＤＣＩを受信したＳＣｅｌｌ）がディアクティベートされることをＵＥに伝えるために、当該ＤＣＩ内の他の所定フィールドが所定値にセットされてもよい。
【００８０】
言い換えれば、所定ＤＣＩフォーマットを有するＤＣＩ内の所定フィールドが所定値を示す場合、ＵＥは、当該ＤＣＩが、当該ＤＣＩを受信したＳＣｅｌｌのディアクティベーションを指示すると決定してもよい。
【００８１】
（案２）
ＤＣＩがアクティベーションを指示しているかディアクティベーションを指示しているかが、ＤＣＩに含まれる所定フィールドによって、明示的に（explicitly）区別されてもよい。
【００８２】
図５に示すように、ＣＩＦによって指示されたＳＣｅｌｌのアクティベーション又はディアクティベーションの状態を指示するために、所定ＤＣＩフォーマットのＤＣＩ内に１ビットのアクティベーション／ディアクティベーションインジケータフィールドが導入されてもよい。
【００８３】
ＤＣＩ内のアクティベーション／ディアクティベーションインジケータが"1"にセットされた場合、ＵＥは、当該ＤＣＩ内のＣＩＦに指示されたＳＣｅｌｌがアクティベートされると決定してもよい。ＤＣＩ内のアクティベーション／ディアクティベーションインジケータが"0"にセットされた場合、ＵＥは、当該ＤＣＩ内のＣＩＦに指示されたＳＣｅｌｌがディアクティベートされると決定してもよい。
【００８４】
次のＵＥ動作が規定されてもよい。
【００８５】
＜アクティブＢＷＰ決定方法＞
ＵＥがＳＣｅｌｌアクティベーションシグナリング（ＳＣｅｌｌアクティベーションＤＣＩ）を受信した場合、ＵＥは、どのＢＷＰをアクティブＢＷＰとするかを知ることが好ましい。
【００８６】
ＢＷＰは、帯域幅部分、部分周波数帯域、部分帯域などと呼ばれてもよい。ＮＲにおいては、コンポーネントキャリア（ＣＣ：Component  Carrier）ごとに１つ又は複数のＢＷＰがＵＥに対して設定され得る。
【００８７】
図６に示すように、アクティベーションＤＣＩ内にＢＷＰインジケータ（BandWidth  Part  indicator、部分帯域指示フィールド）が含まれる場合、ＵＥは、当該ＢＷＰインジケータによって、アクティベートされるＳＣｅｌｌに属する少なくとも１つのＢＷＰをアクティブＢＷＰとして指示されてもよい。例えば、ＢＷＰインジケータは、２ビットを有し、４つのＢＷＰの１つを指示してもよい。ＢＷＰインジケータのサイズは、他の値であってもよく、例えば、１ビットであってもよい。
【００８８】
図６に示すように、アクティベーションＤＣＩ内にＢＷＰインジケータが含まれない場合、ＵＥは、アクティベートされるＳＣｅｌｌに属するＢＷＰが、初期アクティブＢＷＰ又はデフォルトＢＷＰであると決定してもよい。また、アクティベーションＤＣＩ内にＢＷＰインジケータが含まれない場合、ＵＥは、アクティベートされるＳＣｅｌｌに属するＢＷＰが、上位レイヤによって予め設定されたアクティブＢＷＰであると決定してもよいし、当該ＳＣｅｌｌ内に設定された全てのアクティブＢＷＰであると決定してもよい。
【００８９】
ＵＥが、ＳＣｅｌｌアクティベーションシグナリング（ＳＣｅｌｌアクティベーションＤＣＩ）を受信した場合、ＳＣｅｌｌアクティベーションシグナリングを用いて、ＰＤＳＣＨ又はＰＵＳＣＨがスケジュールされてもよい。
【００９０】
このアクティブＢＷＰ決定方法によれば、ＵＥは１つのＤＣＩに応じてＳＣｅｌｌアクティベーションとアクティブＢＷＰの決定を行うことによって、ＳＣｅｌｌ及びＢＷＰの利用を高速化できる。また、ＳＣｅｌｌアクティベーション及びアクティブＢＷＰの通知のオーバーヘッドを抑えることができる。
【００９１】
＜ＰＤＳＣＨ／ＰＵＳＣＨスケジューリング方法＞
ＳＣｅｌｌアクティベーションシグナリングを用いて、ＰＤＳＣＨ又はＰＵＳＣＨがスケジュールされる場合、ＵＥは、ＢＷＰスイッチングにおいて規定されたＤＣＩフィールドの読み替え（再解釈）と同じ仕組みを用いてもよい（再利用してもよい）。
【００９２】
例えば、アクティベートされるＳＣｅｌｌに対する周波数ドメインリソースの割り当てに必要なビット数が、受信したＤＣＩ内の周波数ドメインリソース割り当てフィールドのサイズよりも大きい場合、ＵＥは、受信したＤＣＩ内の周波数ドメインリソース割り当てフィールドを超えるビットはすべてゼロであるとして（すなわち、アクティベートされるＳＣｅｌｌに対する周波数ドメインリソースの割り当てに必要なビット数に足らないビットはすべてゼロであるとして）、当該フィールドによって周波数ドメインリソース割り当てをされてもよい。この場合、当該フィールドでは、アクティベートされるＳＣｅｌｌの周波数ドメインリソースすべてにリソースを割り当てることはできなくなる。
【００９３】
例えば、アクティベートされるＳＣｅｌｌに対する周波数ドメインリソースの割り当てに必要なビット数が、受信したＤＣＩ内の周波数ドメインリソース割り当てフィールドのサイズよりも小さい場合、ＵＥは、必要なビット数よりも上位のビットを無視し、必要なビット数に等しい下位ビットのみを周波数ドメインリソース割り当てとして解釈してもよい。
【００９４】
なお、上記の読み替え方法は、周波数ドメインリソースの割り当てフィールドに限らず、他のフィールド、例えば時間ドメインリソース割り当てフィールド、ＭＣＳインデックス、ＨＡＲＱプロセス番号フィールド、ＢＷＰインディケータ、ＭＩＭＯアンテナポートインデックス、等に、同様に適用されてもよい。
【００９５】
ＵＥが、ＳＣｅｌｌアクティベーションシグナリング（ＳＣｅｌｌアクティベーションＤＣＩ）を受信した場合、ＳＣｅｌｌアクティベーションシグナリングを用いて、ＰＤＳＣＨ又はＰＵＳＣＨがスケジュールされなくてもよい。
【００９６】
ＳＣｅｌｌアクティベーションＤＣＩによってＰＤＳＣＨ又はＰＵＳＣＨがスケジュールされない場合、ＵＥは、前述のアクティベーション／ディアクティベーション決定方法（案１−２、案２）と同様にして、アクティベーションＤＣＩ及びディアクティベーションＤＣＩを区別してもよい。
【００９７】
このＰＤＳＣＨ／ＰＵＳＣＨスケジューリング方法によれば、ＵＥは１つのＤＣＩに基づいてＳＣｅｌｌアクティベーションとＰＤＳＣＨ／ＰＵＳＣＨスケジューリングを行うことによって、ＳＣｅｌｌアクティベーション及びＰＤＳＣＨ／ＰＵＳＣＨスケジューリングを高速化できる。また、ＳＣｅｌｌアクティベーション及びＰＤＳＣＨ／ＰＵＳＣＨスケジューリングの通知のオーバーヘッドを抑えることができる。
【００９８】
＜ＣＳＩ報告トリガ方法＞
ＵＥが、ＳＣｅｌｌアクティベーションシグナリング（ＳＣｅｌｌアクティベーションＤＣＩ）を受信した場合、ＵＥは、ＳＣｅｌｌアクティベーションシグナリングによってＣＳＩ報告をトリガされてもよいし、トリガされなくてもよい。
【００９９】
図７Ａに示すように、アクティベーションＤＣＩにＣＳＩ要求フィールドが含まれる場合、ＵＥは、アクティベーションＤＣＩによってＣＳＩ報告をトリガされてもよい。
【０１００】
図７Ｂに示すように、アクティベーションＤＣＩにＣＳＩ要求フィールドが含まれない場合、ＵＥは、アクティベーションＤＣＩによってＣＳＩ報告をトリガされなくてもよい。ＣＳＩ要求フィールドは、アクティベーションＤＣＩとは別のＤＣＩに含まれてもよい。
【０１０１】
このＣＳＩ報告トリガ方法によれば、ＵＥはＤＣＩに基づいてＳＣｅｌｌアクティベーションとＣＳＩ報告トリガを行うことによって、ＳＣｅｌｌアクティベーション及びＣＳＩ報告トリガを高速化できる。
【０１０２】
（態様１−２）
ＳＣｅｌｌがクロスキャリアスケジューリングを設定されるケース２に対し、どのＳＣｅｌｌがアクティベート／ディアクティベートされるかを指示するために、ＣＩＦが用いられてもよい。
【０１０３】
アクティベーション及びディアクティベーションに対し、ＵＥは、次のオプション２−１、２−２の１つを用いてもよい。
【０１０４】
（オプション２−１）
ＣＩＦが存在すること（TRUE）を示す上位レイヤパラメータ（cif-Presence）を設定されているＣＣにおいては、当該ＣＣ上で送信されるＤＣＩにＣＩＦが含まれてもよい。ＵＥは、ＳＣｅｌｌディアクティベーションのために当該ＣＣ内のＤＣＩをモニタしてもよい。
【０１０５】
（オプション２−２）
ＵＥは、上位レイヤパラメータ（CrossCarrierSchedulingConfig内のschedulingCellId）によって設定されたスケジューリングセル（スケジューリングＣＣ）におけるＤＣＩのみをモニタし、当該ＤＣＩをＳＣｅｌｌディアクティベーションに用いてもよい。
【０１０６】
ＵＥは、前述のアクティベーション／ディアクティベーション決定方法、アクティブＢＷＰ決定方法、ＰＤＳＣＨ／ＰＵＳＣＨスケジューリング方法、ＣＳＩ報告トリガ方法、の少なくとも１つを用いてもよい。
【０１０７】
この第１の態様によれば、ＭＡＣ  ＣＥを用いる場合に比べてＳＣｅｌｌのアクティベーション／ディアクティベーションを高速に行うことができる。また、既存のＤＣＩフォーマットを利用することによって、別のＤＣＩフォーマット又は別のＲＮＴＩを利用する場合に比べてＵＥの処理負荷を抑えることができる。
【０１０８】
（第２の態様）
ＳＣｅｌｌアクティベーション／ディアクティベーションを指示するために、新たな特定ＵＥ固有（UE-specific）ＤＣＩフォーマットが導入されてもよい。
【０１０９】
ペアードスペクトラムとアンペアードスペクトラムの両方において、ＳＣｅｌｌアクティベーション／ディアクティベーションのために特定ＤＣＩフォーマットが用いられてもよい。
【０１１０】
既存ＤＣＩフォーマットのＣＲＣ（Cyclic  Redundancy  Check）のスクランブルに用いられるＲＮＴＩ（Radio  Network  Temporary  Identifier、例えば、Ｃ−ＲＮＴＩ）が、特定ＵＥ固有ＤＣＩフォーマットのＣＲＣのスクランブルに用いられてもよい（再利用されてもよい）。
【０１１１】
特定ＵＥ固有ＤＣＩフォーマットのサイズ（ペイロードサイズ）は、既存ＤＣＩフォーマットのサイズと同じなるように設定されてもよい。これによって、ＵＥは、ブラインド復号の増加を防ぐことができる。または、ＵＥは、上位レイヤシグナリングによって当該ペイロードサイズを設定されるものとしてもよい。
【０１１２】
ＵＥは、次の態様２−１〜２−３の少なくとも１つを用いてもよい。
【０１１３】
（態様２−１）
ＳＣｅｌｌのアクティベーション又はディアクティベーションの状態を指示するために、特定ＵＥ固有ＤＣＩフォーマット内にＳＣｅｌｌアクティベーション／ディアクティベーションインジケータフィールドが含まれてもよい。ＵＥは、特定ＵＥ固有ＤＣＩフォーマット内のＳＣｅｌｌアクティベーション／ディアクティベーションインジケータフィールドに基づいて、ＳＣｅｌｌのアクティベーション又はディアクティベーションを決定してもよい。
【０１１４】
例えば、図８に示すように、ＳＣｅｌｌアクティベーション／ディアクティベーションインジケータフィールドは、ｃｉフィールド（ビットマップ）であってもよい。ＳＣｅｌｌインデックスｉを有するＳＣｅｌｌの状態を指示するために、ｃｉフィールドが用いられてもよい。ＳＣｅｌｌインデックスｉを有するＳＣｅｌｌがアクティベートされることを指示するために、ｃｉフィールドが"1"にセットされてもよい。ＳＣｅｌｌインデックスｉを有するＳＣｅｌｌがディアクティベートされることを指示するために、ｃｉフィールドが"1"にセットされてもよい。
【０１１５】
ＳＣｅｌｌアクティベーション／ディアクティベーションインジケータフィールドは、既存のＳＣｅｌｌアクティベーション／ディアクティベーションＭＡＣ  ＣＥと同様の構成を有していてもよい。
【０１１６】
ＵＥは、他の指示によってアクティブＢＷＰを決定してもよい。
【０１１７】
ＵＥがＢＷＰインジケータを含むノンフォールバックＤＣＩを受信する場合、ＵＥは、当該ＢＷＰインジケータによって指示されたＢＷＰがアクティベートされることを認識してもよい。この動作は、クロスキャリアスケジューリングを設定されたＣＣのみに適用されてもよい。
【０１１８】
ＵＥがノンフォールバックＤＣＩを受信しない場合、又は、ＵＥがＢＷＰインジケータを含まないＤＣＩ（ノンフォールバックＤＣＩ又はフォールバックＤＣＩ）を受信する場合、ＵＥは、初期アクティブＢＷＰ又はデフォルトＢＷＰ又は予め設定されたＢＷＰがアクティベートされることを認識してもよい。この動作は、クロスキャリアスケジューリングを設定されたＣＣと、この動作は、セルフキャリアスケジューリングを設定されたＣＣと、の両方に適用されてもよい。
【０１１９】
（態様２−２）
ＳＣｅｌｌ内のＢＷＰのアクティベーション又はディアクティベーションの状態を示すために、ＳＣｅｌｌアクティベーション／ディアクティベーションインジケータ及びＢＷＰインジケータが、特定ＵＥ固有ＤＣＩフォーマットに含まれてもよい。
【０１２０】
図９に示すように、ＢＷＰインジケータは、ＢＷＰ  ＩＤを指示するために用いられ、各ＣＣに対して０又は１又は２ビットであってもよい。
【０１２１】
図９に示すように、ＳＣｅｌｌアクティベーション／ディアクティベーションインジケータは、１つのＳＣｅｌｌのアクティベーション又はディアクティベーションの状態を指示するために用いられ、各ＣＣに対して１ビットであってもよい。
【０１２２】
（態様２−３）
ＳＣｅｌｌ内の１以上のＢＷＰのアクティベーション／ディアクティベーションを示すために、ＢＷＰアクティベーション／ディアクティベーションインジケータが、特定ＵＥ固有ＤＣＩフォーマットに含まれてもよい。
【０１２３】
図１０に示すように、ＢＷＰアクティベーション／ディアクティベーションインジケータは、ビットマップであってもよい。
【０１２４】
ビットマップ値が"1"にセットされる場合、ＵＥは、対応するＳＣｅｌｌ内の対応するＢＷＰがアクティベートされることを認識してもよい。
【０１２５】
ビットマップ値が"0"にセットされる場合、ＵＥは、対応するＳＣｅｌｌ内の対応するＢＷＰがディアクティベートされることを認識してもよい。
【０１２６】
この第２の態様によれば、ＭＡＣ  ＣＥを用いる場合に比べてＳＣｅｌｌのアクティベーション／ディアクティベーションを高速に行うことができる。また、特定ＵＥ固有ＤＣＩフォーマットのサイズを既存のＤＣＩフォーマットのサイズに合わせ、特定ＵＥ固有ＤＣＩフォーマットのＣＲＣのスクランブリングに既存のＲＮＴＩを用いることによって、ＵＥの処理負荷（ブラインド復号）を抑えることができる。
【０１２７】
（第３の態様）
ＳＣｅｌｌアクティベーション／ディアクティベーションを指示するために、新たな特定グループ共通（group-common）ＤＣＩフォーマット（グループ共通ＰＤＣＣＨにおいて送信される）が導入されてもよい。
【０１２８】
特定グループ共通ＤＣＩフォーマットのＣＲＣをスクランブリングに用いられる新たな特定ＲＮＴＩが導入されてもよい。特定ＲＮＴＩは、既存の所定ＲＮＴＩ（例えば、Ｃ−ＲＮＴＩ）と異なってもよい。特定ＲＮＴＩは、ＳＣｅｌｌ用ＲＮＴＩ、アクティベーション／ディアクティベーション用ＲＮＴＩなどと呼ばれてもよい。特定ＲＮＴＩは、Ｃ−ＲＮＴＩを設定する上位レイヤパラメータと異なる上位レイヤパラメータによって設定されてもよい。
【０１２９】
特定グループ共通ＤＣＩフォーマットのサイズは、既存ＤＣＩのサイズと同じになるように設定されてもよい。これによって、ＵＥは、ブラインド復号の増加を防ぐことができる。
【０１３０】
ＵＥは、次の態様３−１〜３−３の少なくとも１つを用いてもよい。
【０１３１】
（態様３−１）
ＳＣｅｌｌのアクティベーション又はディアクティベーションの状態をＵＥに指示するために、特定グループ共通ＤＣＩフォーマット内のＳＣｅｌｌアクティベーション／ディアクティベーションインジケータフィールドが、ＵＥ毎に設定されてもよい。
【０１３２】
図１１に示すように、異なるＵＥに対してＳＣｅｌｌのアクティベーション又はディアクティベーションの状態を指示するために、特定グループ共通ＤＣＩフォーマット内の異なるＳＣｅｌｌアクティベーション／ディアクティベーションインジケータフィールドが用いられてもよい。
【０１３３】
ＵＥは、特定グループ共通ＤＣＩフォーマット内の、対応するＳＣｅｌｌアクティベーション／ディアクティベーションインジケータフィールドに基づいて、ＳＣｅｌｌのアクティベーション又はディアクティベーションを決定してもよい。
【０１３４】
同一のＣＣにおいて、異なるＵＥに対する、ＳＣｅｌｌのアクティベーション又はディアクティベーションの状態は、異なってもよい。
【０１３５】
特定グループ共通ＤＣＩフォーマットは、必要に応じてＭビットのパディングを含んでもよい。
【０１３６】
（態様３−２）
ＳＣｅｌｌ内のＢＷＰのアクティベーション又はディアクティベーションの状態を指示するために、ＢＷＰインジケータ及び状態インジケータを含むＳＣｅｌｌアクティベーション／ディアクティベーションインジケータが、ＵＥ毎に設定されてもよい。
【０１３７】
図１２に示すように、異なるＵＥに対してＳＣｅｌｌ内のＢＷＰのアクティベーション又はディアクティベーションの状態を指示するために、特定グループ共通ＤＣＩフォーマット内の異なるＳＣｅｌｌアクティベーション／ディアクティベーションインジケータフィールドが用いられてもよい。
【０１３８】
例えば、ＳＣｅｌｌアクティベーション／ディアクティベーションインジケータフィールドは、１つのＵＥの１つのＳＣｅｌｌ内の１つのＢＷＰに対し、２ビットのＢＷＰインジケータと、１ビットの状態インジケータと、を含んでもよい。ＢＷＰインジケータのサイズは、他の値であってもよく、例えば、１ビットであってもよい。
【０１３９】
同一のＣＣにおいて、異なるＵＥに対する、ＳＣｅｌｌ内のＢＷＰのアクティベーション又はディアクティベーションの状態は、異なってもよい。
【０１４０】
特定グループ共通ＤＣＩフォーマットは、必要に応じてＭビットのパディングを含んでもよい。
【０１４１】
（態様３−３）
ＳＣｅｌｌ内の全てのＢＷＰのアクティベーション又はディアクティベーションの状態をＵＥに指示するために、特定グループ共通ＤＣＩフォーマット内のＳＣｅｌｌアクティベーション／ディアクティベーションインジケータフィールドが、ＵＥ毎、ＢＷＰ毎に設定されてもよい。
【０１４２】
図１３に示すように、異なるＵＥに対してＳＣｅｌｌ内のＢＷＰのアクティベーション又はディアクティベーションの状態を指示するために、特定グループ共通ＤＣＩフォーマット内の異なるＳＣｅｌｌアクティベーション／ディアクティベーションインジケータフィールドが用いられてもよい。
【０１４３】
例えば、ＳＣｅｌｌアクティベーション／ディアクティベーションインジケータフィールドは、ＵＥ毎、ＳＣｅｌｌ（ＣＣ）毎、ＢＷＰ毎に、１ビットの状態インジケータを含んでもよい。
【０１４４】
同一のＣＣにおいて、異なるＵＥに対する、ＳＣｅｌｌ内のＢＷＰのアクティベーション又はディアクティベーションの状態は、異なってもよい。
【０１４５】
特定グループ共通ＤＣＩフォーマットは、必要に応じてＭビットのパディングを含んでもよい。
【０１４６】
なお、前記特定グループ共通ＤＣＩフォーマットが検出されない場合、ＵＥは、各ＳＣｅｌｌに対するアクティベーション／ディアクティベーション状態を維持するものとしてもよい。すなわち、アクティブなＳＣｅｌｌはそのままアクティブ、ディアクティブなＳＣｅｌｌはそのままディアクティブとする。また、この場合、アクティブなＳＣｅｌｌに対するＳＣｅｌｌディアクティベーションタイマも、そのままカウントを継続することができる。
【０１４７】
この第３の態様によれば、ＭＡＣ  ＣＥを用いる場合に比べてＳＣｅｌｌのアクティベーション／ディアクティベーションを高速に行うことができる。また、特定グループ共通ＤＣＩフォーマットのサイズを既存のＤＣＩフォーマットのサイズに合わせることによって、ＵＥの処理負荷（ブラインド復号）を抑えることができる。
【０１４８】
（第４の態様）
第１の態様〜第３の態様において、ＤＣＩに基づくＳＣｅｌｌアクティベーション／ディアクティベーションのタイミングが規定されてもよい。
【０１４９】
次の態様４−１、４−２のいずれかが用いられてもよい。
【０１５０】
（態様４−１）
ＳＣｅｌｌアクティベーションに対する固定タイミングが規定されてもよい。これは、第１〜第３の態様のいずれかに適用されてもよい。
【０１５１】
ＵＥがスロットｎにおけるＳＣｅｌｌのためのアクティベーションＤＣＩを受信した場合、前述の動作１−１〜１−５のうち次の動作２−１〜２−３を除く、対応する動作が、スロットｎ＋Ｍまで、及び所定タイミング（例えば、ＳＣｅｌｌに対するアクティベーションコマンドを受信したセル又はアクティベーションされるＳＣｅｌｌ又はＣＳＩ報告を行うセルにおけるスロットｎ＋ｋ）以後に適用されてもよい。
【０１５２】
（動作２−１）所定タイミング（例えば、ＳＣｅｌｌに対するアクティベーションコマンドを受信したセル又はアクティベーションされるＳＣｅｌｌ又はＣＳＩ報告を行うセルにおけるスロットｎ＋ｋ）においてアクティブ化される、サービングセルに対するＣＳＩの報告に関する動作
【０１５３】
（動作２−２）所定タイミング（例えば、ＳＣｅｌｌに対するアクティベーションコマンドを受信したセル又はアクティベーションされるＳＣｅｌｌ又はＣＳＩ報告を行うセルにおけるスロットｎ＋ｋ）においてアクティブ化されるＳＣｅｌｌに関連付けられたＳＣｅｌｌディアクティベーションタイマ（sCellDeactivationTimer）に関する動作
【０１５４】
（動作２−３）所定タイミング（例えば、ＳＣｅｌｌに対するアクティベーションコマンドを受信したセル又はアクティベーションされるＳＣｅｌｌ又はＣＳＩ報告を行うセルにおけるスロットｎ＋ｋ）においてアクティブでないサービングセルに対するＣＳＩの報告に関する動作
【０１５５】
上記の動作２−１および動作２−２は、例えば、上記の所定タイミング（例えば、ＳＣｅｌｌに対するアクティベーションコマンドを受信したセル又はアクティベーションされるＳＣｅｌｌ又はＣＳＩ報告を行うセルにおけるスロットｎ＋ｋ）において適用することができる。上記の動作２−３は、上記の所定タイミング（例えば、ＳＣｅｌｌに対するディアクティベーションコマンドを受信したセル又はアクティベーションされるＳＣｅｌｌ又はＣＳＩ報告を行うセルにおけるスロットｎ＋ｋ）より後の最初のスロットに適用することができる。
【０１５６】
スロットｎにおいて、ＵＥがＳＣｅｌｌに対するディアクティベーションＤＣＩを受信する、又は当該ＳＣｅｌｌに関連付けられたＳＣｅｌｌディアクティベーションタイマが満了する場合、前述の動作１−１〜１−５のうち、動作２−１を除く、対応する動作が、最小の要件であるスロットｎ＋Ｍまでに適用されてもよい。
【０１５７】
図１４Ａに示すように、データのスケジューリングを伴わないＳＣｅｌｌアクティベーションにおいて、ｋは、ＰＤＣＣＨ処理時間と、ＳＣｅｌｌの調整のための準備時間と、を満たしてもよい。
【０１５８】
図１４Ｂに示すように、データのスケジューリングを伴うＳＣｅｌｌアクティベーションにおいて、ｋは、ＰＤＣＣＨ処理時間と、ＳＣｅｌｌの調整のための準備時間と、ＰＤＳＣＨ受信又はＰＵＳＣＨ送信のための準備時間と、を満たしてもよい。
【０１５９】
ＳＣｅｌｌアクティベーションＤＣＩからＳＣｅｌｌアクティベーションまでのタイミングは、既存のＳＣｅｌｌアクティベーションＭＡＣ  ＣＥの場合と同様であってもよい。
【０１６０】
（態様４−２）
ＳＣｅｌｌアクティベーションに対する固定タイミングが、ＤＣＩによって動的に指示されてもよい。これは、第１の態様に適用されてもよい。
【０１６１】
例えば、ＳＣｅｌｌアクティベーションの開始タイミングを指示するために、アクティベーションＤＣＩ（ＤＬアサインメント又はＵＬグラント）内の時間ドメインリソース割り当てフィールドが用いられてもよい（再利用されてもよい）。
【０１６２】
図１５Ａに示すように、ＵＥは、ＳＣｅｌｌアクティベーションを指示するＤＬアサインメント（スロットｎ）内の時間ドメインリソース割り当てフィールド（開始及び長さインジケータ値、Start  and  Length  Indicator  Value：ＳＬＩＶ）によって指示されるスロットオフセットＫ０（＝ｋ）に基づいて、ＳＣｅｌｌアクティベーションの開始タイミング（スロットｎ＋ｋ）を決定してもよい。
【０１６３】
図１５Ｂに示すように、ＵＥは、ＳＣｅｌｌアクティベーションを指示するＵＬグラント（スロットｎ）内の時間ドメインリソース割り当てフィールド（ＳＬＩＶ）によって指示されるスロットオフセットＫ２（＝ｋ）に基づいて、ＳＣｅｌｌアクティベーションの開始タイミング（スロットｎ＋ｋ）を決定してもよい。
【０１６４】
この第４の態様によれば、ＵＥ及び基地局は、ＤＣＩからＳＣｅｌｌアクティベーション／ディアクティベーションまでの時間を合わせることができ、ＳＣｅｌｌにおける送受信を適切に行うことができる。
【０１６５】
（第５の態様）
ＳＣｅｌｌを設定する場合に、同時にＳＣｅｌｌがアクティベートされてもよいことを示す上位レイヤシグナリング（ＲＲＣシグナリング）として、ＳＣｅｌｌ状態（sCellState）が導入されてもよい。
【０１６６】
ＰＳＣｅｌｌ以外のＵＥに設定された各ＳＣｅｌｌに対し、ＳＣｅｌｌ状態が、当該ＳＣｅｌｌに対して設定され、且つ「アクティブ（activated）」を示す場合、ＵＥは、ＳＣｅｌｌがアクティブ化状態（activated  state）になると認識するように下位レイヤを設定してもよい。そうではなく、ＳＣｅｌｌ状態が、当該ＳＣｅｌｌに対して設定され、且つ「インアクティブ（inactive、inactivate）」を示す場合、ＵＥは、ＳＣｅｌｌがインアクティブ状態（inactive  state）になると認識するように下位レイヤを設定してもよい。それ以外の場合、ＵＥは、ＳＣｅｌｌがディアクティブ化状態（deactivated  state）になると認識するように下位レイヤを設定してもよい。
【０１６７】
ここでは、ＳＣｅｌｌが設定と同時に明示的にアクティベートされた状態を、アクティブ化状態と呼び、ＳＣｅｌｌが設定と同時に明示的にインアクティブにされた状態を、インアクティブ状態と呼び、ＳＣｅｌｌが設定と同時に暗示的にディアクティベートされた状態を、ディアクティブ化状態と呼ぶ。
【０１６８】
この態様によれば、アクティベーションが上位レイヤシグナリングによって設定されることによって、ＤＣＩのオーバーヘッドを抑えることができる。
【０１６９】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１７０】
図１６は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１７１】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１７２】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１７３】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１７４】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１７５】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１７６】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１７７】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１７８】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１７９】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１８０】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１８１】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１８２】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１８３】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１８４】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１８５】
なお、ＤＣＩによってスケジューリング情報が通知されてもよい。ＤＬデータ（例えば、ＰＤＳＣＨ）受信及び／又はＤＬ参照信号の測定をスケジューリングするＤＣＩは、ＤＬアサインメント、ＤＬグラント、ＤＬ  ＤＣＩなどと呼ばれてもよい。ＵＬデータ（例えば、ＰＵＳＣＨ）送信及び／又はＵＬサウンディング（測定用）信号の送信をスケジューリングするＤＣＩは、ＵＬグラント、ＵＬ  ＤＣＩなどと呼ばれてもよい。
【０１８６】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１８７】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１８８】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１８９】
（基地局）
図１７は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１９０】
下りリンクによって基地局１０からユーザ端末２０に送信されるユーザデータは、上位局装置３０から伝送路インターフェース１０６を介してベースバンド信号処理部１０４に入力される。
【０１９１】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１９２】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１９３】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１９４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１９５】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１９６】
また、送受信部１０３は、特定下り制御情報フォーマットを用いる下り制御情報を送信してもよい。
【０１９７】
図１８は、本開示の一実施形態に係る基地局の機能構成の一例を示す図である。なお、本例では、本実施形態における特徴部分の機能ブロックを主に示しており、基地局１０は、無線通信に必要な他の機能ブロックも有すると想定されてもよい。
【０１９８】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１９９】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０２００】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０２０１】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０２０２】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０２０３】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０２０４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０２０５】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０２０６】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０２０７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０２０８】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０２０９】
測定部３０５は、受信した信号に関する測定を実施する。測定部３０５は、本開示に係る技術分野での共通認識に基づいて説明される測定器、測定回路又は測定装置から構成することができる。
【０２１０】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０２１１】
また、制御部３０１は、前記下り制御情報に基づいてセカンダリセルのアクティベーション又はディアクティベーションを決定してもよい。
【０２１２】
（ユーザ端末）
図１９は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２１３】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２１４】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２１５】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０２１６】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０２１７】
また、送受信部２０３は、特定下り制御情報フォーマットを用いる下り制御情報を受信してもよい。
【０２１８】
図２０は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０２１９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２２０】
制御部４０１は、ユーザ端末２０全体の制御を実施する。制御部４０１は、本開示に係る技術分野での共通認識に基づいて説明されるコントローラ、制御回路又は制御装置から構成することができる。
【０２２１】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２２２】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２２３】
また、制御部４０１は、基地局１０から通知された各種情報を受信信号処理部４０４から取得した場合、当該情報に基づいて制御に用いるパラメータを更新してもよい。
【０２２４】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２２５】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０２２６】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２２７】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２２８】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２２９】
測定部４０５は、受信した信号に関する測定を実施する。測定部４０５は、本開示に係る技術分野での共通認識に基づいて説明される測定器、測定回路又は測定装置から構成することができる。
【０２３０】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２３１】
また、制御部４０１は、前記下り制御情報に基づいてセカンダリセルのアクティベーション又はディアクティベーションを決定してもよい。
【０２３２】
また、制御部４０１は、前記下り制御情報内の、周波数リソース割り当てフィールドと、時間リソース割り当てフィールドと、セル指示フィールドと、部分帯域指示フィールドと、の少なくとも１つのフィールドに基づいて、前記セカンダリセルのアクティベーション又はディアクティベーションを行ってもよい。
【０２３３】
また、前記下り制御情報は、前記セカンダリセルのアクティベーション又はディアクティベーションを示すフィールドと、部分帯域（ＢＷＰ）のアクティベーション又はディアクティベーションを示すフィールドと、少なくとも１つ（例えば、ＳＣｅｌｌアクティベーション／ディアクティベーションインジケータフィールド、状態フィールド）を含んでもよい。
【０２３４】
また、前記セカンダリセルのアクティベーションが決定された場合、制御部４０１は、前記下り制御情報に基づいてアクティブ部分帯域（アクティブＢＷＰ）を決定してもよい。
【０２３５】
また、制御部４０１は、前記下り制御情報に基づいて前記セカンダリセルのアクティベーション又はディアクティベーションのタイミングを決定してもよい。
【０２３６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２３７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２３８】
例えば、本開示の一実施形態における基地局、ユーザ端末などは、本開示の無線通信方法の処理を行うコンピュータとして機能してもよい。図２１は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２３９】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０２４０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２４１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２４２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２４３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２４４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２４５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２４６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２４７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２４８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２４９】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２５０】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２５１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２５２】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２５３】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２５４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２５５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２５６】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２５７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２５８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２５９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２６０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２６１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２６２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２６３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２６４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２６５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２６６】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２６７】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２６８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２６９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２７０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２７１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２７２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２７３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２７４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２７５】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２７６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２７７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２７８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２８０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２８１】
本開示において使用する「システム」及び「ネットワーク」という用語は、互換的に使用され得る。
【０２８２】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２８３】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２８４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２８５】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２８６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２８７】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２８８】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２８９】
同様に、本開示におけるユーザ端末は、基地局で読み替えてもよい。この場合、上述のユーザ端末２０が有する機能を基地局１０が有する構成としてもよい。
【０２９０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２９１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２９２】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２９３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２９４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２９５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２９６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２９７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２９８】
また、「判断（決定）」は、「想定する（assuming）」、「期待する（expecting）」、「みなす（considering）」などで読み替えられてもよい。
【０２９９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０３００】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３０１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３０２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３０３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３０４】
本開示において、例えば、英語でのa、an及びtheのように、翻訳によって冠詞が追加された場合、本開示は、これらの冠詞の後に続く名詞が複数形であることを含んでもよい。
【０３０５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020008644.tif 000003
【図２】
2020008644.tif 000004
【図３】
2020008644.tif 000005
【図４】
2020008644.tif 000006
【図５】
2020008644.tif 000007
【図６】
2020008644.tif 000008
【図７】
2020008644.tif 000009
【図８】
2020008644.tif 000010
【図９】
2020008644.tif 000011
【図１０】
2020008644.tif 000012
【図１１】
2020008644.tif 000013
【図１２】
2020008644.tif 000014
【図１３】
2020008644.tif 000015
【図１４】
2020008644.tif 000016
【図１５】
2020008644.tif 000017
【図１６】
2020008644.tif 000018
【図１７】
2020008644.tif 000019
【図１８】
2020008644.tif 000020
【図１９】
2020008644.tif 000021
【図２０】
2020008644.tif 000022
【図２１】
2020008644.tif 000023
【国際調査報告】
2020008644.tif 000024
2020008644.tif 000025
2020008644.tif 000026
2020008644.tif 000027